(57)【特許請求の範囲】
【請求項１】
中空パネルの内部に補強具を装着することで前記中空パネルを補強した中空パネルの補強構造であって、
前記中空パネルと前記補強具との間には、前記中空パネルが外力を受けた際に、前記中空パネルと前記補強具との変形を許容する空間部が形成されており、前記空間部は、前記補強具の長手方向の両端側に向かって除々に大きくなるように形成され、
前記補強具は、発泡性基材を外部加熱により発泡させて形成した発泡体と、前記発泡性基材の発泡方向を規制する規制部材とを備え、
前記規制部材は、略Ｖ字状であって、前記中空パネルの長手方向に沿って傾斜する一対の傾斜面と、該一対の傾斜面を接続する底壁面と、前記底壁面に設けられた孔を有し、
前記発泡体は、未発泡の状態で前記一対の傾斜面と前記底壁面との間に設けられ、発泡することで前記孔を貫通して前記中空パネルの一側面に接着する部分と、前記一対の傾斜面と前記中空パネルの他側面との間で発泡して前記中空パネルの他側面に接着する部分とを有し、
前記空間部は、前記傾斜面と前記中空パネルの間に形成されることを特徴とする中空パネルの補強構造。
【請求項２】
中空パネルの内部に補強具を装着することで前記中空パネルを補強した中空パネルの補強構造であって、
前記中空パネルと前記補強具との間には、前記中空パネルが外力を受けた際に、前記中空パネルと前記補強具との変形を許容する空間部が形成されており、前記空間部は、前記補強具の長手方向の両端側に向かって除々に大きくなるように形成され、
前記補強具は、発泡性基材を外部加熱により発泡させて形成した発泡体と、前記発泡性基材の発泡方向を規制する規制部材とを備え、
前記規制部材は、前記中空パネルの長手方向の両端部が先細り状になるように一端部が接続された二対の傾斜面と、前記傾斜面の他端部を接続する一対の側壁面と、前記各側壁面に設けられた孔を有し、
前記発泡体は、未発泡の状態で前記二対の傾斜面の間に設けられ、発泡することで前記一の側壁面の孔を貫通して前記中空パネルの一側面に接着する部分と、前記他の側壁面の孔を貫通して前記中空パネルの他側面に接着する部分とを有し、
前記空間部は、前記傾斜面と前記中空パネルの間に形成されることを特徴とする中空パネルの補強構造。
【発明の詳細な説明】
【０００１】
【発明の属する技術分野】
この発明は、中空パネルの補強構造に関し、主として複数枚のパネルによって中空の箱型閉じ断面に構成された車両ボディの中空パネル（例えば、ピラー、ロッカーパネル、ルーフサイドパネル等）と、その中空パネルを補強するために中空パネルの内部に装着された補強具とを備えて構成される中空パネルの補強構造に関する。
【０００２】
【従来の技術】
中空パネルの補強構造は、一般に中空パネルの内部に補強具が装着された構造であって、例えば特開２００１−０８８７３９号公報にその構造が開示されている。
この公報にかかる補強具は、発泡性基材を外部の熱によって発泡させて中空部を充填する発泡体により構成されている。そしてその補強具は、長手方向の中心部分が第一の発泡体により構成され、両端部分が第一の発泡体よりも低剛性の発泡体からなる第二の発泡体から構成されるものであった。したがって中空パネルに外力が加わった際には、補強具を有する部分と、補強具を有さない部分との境目にある第二の発泡体によって応力が集中しにくくなっていた。その結果、中空パネルは、応力集中部分から破損するおそれが少なくなり、全体としての剛性が高められていた。
【０００３】
【発明が解決しようとする課題】
しかしこの従来構造は、高剛性の発泡体と低剛性の発泡体とを有する構造であって、少なくとも二種以上の発泡体を準備する必要があった。また発泡体の種類が異なることで複数の発泡倍率を考慮しながら補強具を構成する必要があって設計が煩わしいなどの問題があった。
そこで本発明は、補強具を有する部分と、補強具を有さない部分との境目に生じる応力集中が小さい構造であって、その構造が容易に構成され得る中空パネルの補強構造を提供することを課題とする。
【０００４】
【課題を解決するための手段】
前記課題を解決するために本発明は、上記各請求項に記載の通りの構成を備える中空パネルの補強構造であることを特徴とする。
請求項１、２に記載の発明によれば、中空パネルと補強具との間には、中空パネルが外力を受けた際に、中空パネルと補強具との変形を許容する空間部が形成されており、空間部は、補強具の長手方向の両端側に向かって除々に大きくなるように形成されている。
【０００５】
すなわち補強具の長手方向の中心側は、空間部が小さい、あるいは空間部が存在しておらず、中空パネルと補強具とが変形しにくい。一方両端側には、両端側に向かって除々に大きくなる空間部が形成されている。そのため中空パネルと補強具は、端部に近いほど変形しやすい。したがって中空パネルに外力が加わった場合、補強具を有する部分と、補強具を有しない部分との境目に生じる応力集中が小さくなる。かくして中空パネルは、全体としての剛性が高くなる。
またその構成は、空間部という容易な構成によって構成されている。例えば補強具の形状を考慮するのみで空間部を所望の大きさに構成できる。かくして中空パネルの補強構造は、容易に構成され得る。
【０００６】
さらに請求項１、２に記載の発明によれば、補強具は、発泡性基材を外部加熱により発泡させて形成した発泡体と、発泡性基材の発泡方向を規制する規制部材とを備えて形成されている。
したがって補強具は、発泡体を発泡させる前に予め中空パネルの内部に装着させ、その後に発泡させることで中空パネルの内部を充填させることができる。かくして補強具は、中空パネルの形状に柔軟に対応させることができる。
また請求項１に記載の発明によれば、規制部材は、略Ｖ字状であって、中空パネルの長手方向に沿って傾斜する一対の傾斜面と、該一対の傾斜面を接続する底壁面と、底壁面に設けられた孔を有している。発泡体は、未発泡の状態で一対の傾斜面と底壁面との間に設けられ、発泡することで孔を貫通して中空パネルの一側面に接着する部分と、一対の傾斜面と中空パネルの他側面との間で発泡して中空パネルの他側面に接着する部分とを有している。そして空間部は、傾斜面と中空パネルの間に形成される。
また請求項２に記載の発明によれば、規制部材は、中空パネルの長手方向の両端部が先細り状になるように一端部が接続された二対の傾斜面と、傾斜面の他端部を接続する一対の側壁面と、各側壁面に設けられた孔を有している。発泡体は、未発泡の状態で二対の傾斜面の間に設けられ、発泡することで一の側壁面の孔を貫通して中空パネルの一側面に接着する部分と、他の側壁面の孔を貫通して中空パネルの他側面に接着する部分とを有している。そして空間部は、傾斜面と中空パネルの間に形成される。
【０００７】
【発明の実施の形態】
（実施の形態１）
本発明の実施の形態１を図１，２にしたがって説明する。
補強構造１は、図１に示すように中空パネル２と、中空パネル２を補強するために中空パネル２の内部に装着された補強具３を主体に構成されている。
中空パネル２は、図１に示すように略筒状であって、中心軸側に中空室２２を有する。なおこの中空パネル２は、車両ボディのセンタピラー、フロントピラー、クォータピラー、ルーフサイドパネルなどに利用される中空構造物である。
この中空パネル２は、図１に示すようにインナパネル２１とアウタパネル２０を主体に構成されており、それぞれの端縁に設けられたフランジ２１ａ，２０ａ同士をスポット溶接にて接合することで、中空の箱型閉じ状に構成されている。
【０００８】
補強具３は、図１に示すように外部の熱によって発泡する発泡性材料から形成される発泡体３０ａ（３０）と、その発泡性材料の発泡方向を規制する規制部材３１とを主体に構成されている。
図１では、未発泡状態の発泡体３０ａを示しており、図２では、外部の熱によって発泡した後の発泡体３０を示している。
この発泡性材料は、金属面に対して接着性に優れた熱可塑性合成樹脂材料（例えば、エポキシ系樹脂）を主成分として形成されており、この主成分に発泡剤やガラス繊維等の強化剤を混合して形成さている。
また発泡性材料は、車両ボディの焼き付け塗装の際の熱（例えば１１０℃〜１９０℃前後の温度）によって発泡して、高剛性の発泡体となる材料である。このような発泡性材料としては、例えば特開平８−２０８８７１号公報、特開平１１−１５８３１８号公報に開示されている。
【０００９】
一方、規制部材３１は、硬質合成樹脂によって形成、あるいは強化繊維等の強化材を混入させた硬質合成樹脂、または鋼板などによって形成されている。
規制部材３１は、図１に示すように略板状に形成されており、矢印Ｘ方向からの形状が略Ｖ字状に形成されている。すなわち規制部材３１は、長手方向に沿って高さ（矢印Ｚ方向）が変化する傾斜面３１ａ，３１ｂを両端側に備えている。
また規制部材３１は、図１に示すように傾斜面３１ａ，３１ｂ間を接続する底壁面３１ｃと、底壁面３１ｃに設けられた孔３１ｄとを有する。したがって未発泡の発泡体３０ａを発泡させると、その一部は、図２（ｂ）に示すように孔３１ｄを貫通してインナパネル２１に接着する。
【００１０】
発泡体３０は、未発泡の状態で中空パネル２の内部、すなわちインナパネル２１とアウタパネル２０の間に装着され、その後に塗装用の熱が加えられることで発泡する。そしてその発泡方向は、規制部材３１によって規制されるため、発泡体３０は、図２（ｂ）に示すように中空パネル２の内部を充填する。
すなわち発泡体３０のアウタパネル２０の上面（２０ｂ）側は、図２（ａ）に示すように規制部材３１によって規制されておらず、発泡することでアウタパネル２０に当接（接着）する。その長さは、図２（ａ）に示すように補強具３の長手全長に渡っており、幅方向は、図２（ｂ）〜（ｄ）に示すように上面２０ｂ全体に渡っている。
【００１１】
また発泡体３０のインナパネル２１側は、図２（ａ）に示すように長手方向のほぼ中央部分のみが当接（接着）している。そして発泡体３０の充填領域は、両端側に向かうに連れて除々に小さくなっている。
また発泡体３０と中空パネル２の間には、発泡体３０が充填されない空間部３２ａ，３２ｂが形成されている。換言すると空間部３２ａ，３２ｂは、規制部材３１と中空パネル２との間に形成されている。
【００１２】
また発泡体３０は、図２（ｂ）に示すように補強具３の長手方向の略中心位置において中空パネル２を遮断している。そして図２（ｃ）（ｄ）に示すように長手方向の端部に近づくにつれて発泡体３０の領域が減り、空間部３２ｂの領域が増えている。すなわち空間部３２ａ，３２ｂは、図２（ａ）に示すように発泡体３０の長手方向の端部に向かって除々に大きくなるように形成されている。
【００１３】
また空間部３２ａ，３２ｂは、外力に対して踏ん張ることができないため、中空パネル２に外力が加わった際に、中空パネル２と補強具３の変形を許容する（容易にする）。そのため中空パネル２と補強具３は、補強具３の長手方向の端部近傍ほど外力によって変形しやすい。
したがって外力Ｆ（例えば、前面衝突、後面衝突、側突などの車両外方からの外力）がアウタパネル２０に加わった場合、補強具３の長手方向の中央位置では、補強具３が外力Ｆをアウタパネル２０からインナパネル２１に伝えるとともに、アウタパネル２０とインナパネル２１を変形させないように作用する。そのため中央位置寄りの中空パネル２と補強具３は、ほとんど変形することなくその外力Ｆを受け止める。
【００１４】
一方、長軸方向の両端寄りの中空パネル２と補強具３は、空間部３２ａ，３２ｂを有するために外力Ｆによって変形しやすく、その変形のしやすさは、空間部３２ａ，３２ｂの大きさに比例する。
したがって中空パネル２と補強具３には、外力Ｆによって応力が生じるとともに、その応力は、長手方向の端部に向けて除々に小さくなっている。そのため補強具３を有する部分と有さない部分との境界に生じる応力集中が小さくなる。そして中空パネル２は、応力集中が小さくなることから、応力集中部分を破壊起点とする破壊が生じにくくなっている。
【００１５】
また中空パネル２に外力Ｆが加わった場合は、その外力Ｆによる衝突エネルギーが補強具３と中空パネル２による変形によって吸収される。そして補強具３と中空パネル２の変形は、補強具３の長手方向の端部側で生じやすい。
したがって衝突エネルギーは、中空パネル２の長手方向に分散されやすく、中空パネル２と補強具３の広い範囲で吸収される。かくして中空パネル２は、全体としての剛性が向上されている。
【００１６】
また空間部３２ａ，３２ｂは、発泡体３０を充填しないことで形成するため容易に構成される。すなわち補強具３の形状、とりわけ規制部材３１の形状を考慮するのみで容易に所望の空間部３２ａ，３２ｂを構成することができる。かくして補強構造１は、容易に構成される。
また補強具３は、未発泡の発泡体３０ａを発泡させることで中空パネル２の内部を充填させるため、補強具３を中空パネル２に容易に取付けることができるとともに、補強具３を中空パネル２の形状に容易に対応させることができる。
【００１７】
また空間部３２ａ，３２ｂによって補強具３は、その材料の量を少くすることができる。そのため補強具３を軽量化にできるとともにコストダウンを図るこのも可能である。
なお補強具３は、発泡体３０を発泡させる前に接着剤や規制部材３１に設けられたクリップなどによって中空パネル２に装着されている。
【００１８】
（実施の形態２）
本発明の実施の形態２を図１，３にしたがって説明する。
この実施の形態２にかかる補強構造は、実施の形態１と補強具のみが異なる。そのため同一部分及び同一作用についてはその説明を割愛する。また同一部材については、同一番号を利用して説明する。
補強構造１０の補強具４は、図３に示すように発泡性材料から形成される発泡体４０と、規制部材４１とを主体に構成されている。
【００１９】
規制部材４１は、図３（ａ）に示すように上から（図１の矢印Ｚ方向から）の断面形状が略菱形であって、長手方向の両端が先細り状に形成されている。
すなわち規制部材４１は、図３（ａ）に示すように傾斜面４１ａ〜４１ｄを両端側に二つずつ備えており、これら傾斜面４１ａ〜４１ｄは、インナパネル２１の側面（図の上端ないし下端）から幅中心側に向けて傾斜する。
【００２０】
また規制部材４１は、図３（ａ）に示すように傾斜面４１ａ，４１ｃの間、及び傾斜面４１ｂ，４１ｄの間を接続する側壁面４１ｅ，４１ｅを有する。そして側壁面４１ｅには、図３（ｂ）に示すように孔４１ｆが設けられている（図１の孔３１ｄと同様に形成されている）。
したがって発泡性材料（発泡体４０）を発泡させると、発泡性材料が孔４１ｆを貫通する。そのため発泡体４０は、インナパネル２１とアウタパネル２０に当接（接合）する。
【００２１】
したがって発泡体４０は、図３（ｂ）に示すように長手方向のほぼ中心位置においてアウタパネル２０とインナパネル２１間（中空部）をほぼ遮断する。
また発泡体４０の領域は、図３（ａ）に示すように規制部材３１によって規制されている。そのため規制部材３１と中空パネル２の間には、発泡体４０が充填されないことで形成された空間部４２（４２ａ〜４２ｄ）が形成されている。
そして各空間部４２は、図３（ａ）に示すように長手方向の両端側に向かって除々に厚み方向に厚くなっている。
逆に発泡体４０は、図３（ａ）に示すように幅方向にその厚みが薄くなっている。しかし発泡体４０は、中空パネル２の幅中心寄りに対しては、長手方向のほぼ全長に渡って延出している。
【００２２】
また発泡体４０の高さ方向は、図３（ｂ）〜（ｄ）に示すようにインナパネル２１の底面２１ｂとアウタパネル２０の底面２０ｂとを架橋している。したがって発泡体４０は、中空パネル２の幅中心位置においては、ほぼ全長に渡ってインナパネル２１とアウタパネル２０間を架橋している。
したがって補強具４は、図１に示すようにアウタパネル２０がインナパネル２１へ潰れることを長手方向の全長に渡って防止している。
一方、空間部４２は、中空パネル２と補強具４とを外力Ｆによって変形しやすくするものである。そのため中空パネル２と補強具４は、補強具４の長手方向の両端近傍ほど変形しやすい。
【００２３】
したがって外力Ｆがアウタパネル２０に加わった場合、補強具４の中央位置において最も中空パネル２が潰れにくく、長軸方向の両端寄りは、中空パネル２と補強具４とが外力Ｆによって除々に変形しやすい構造になっている。したがって補強具４を有する部分と有さない部分との境界によって生じる応力集中が小さくなっている。
また外力Ｆによる衝突エネルギーは、中空パネル２の長手方向に分散され、中空パネル２と補強具４の広い範囲で吸収される。かくして中空パネル２は、全体としての剛性が向上されている。
また空間部４２は、発泡体４０を充填しないことで形成されているため、補強構造１０の剛性は、容易な構造によって向上されている。
【００２４】
（参考例１）
参考例１を図４にしたがって説明する。
参考例１にかかる補強構造は、実施の形態１と補強具のみが異なる。そのため同一部分及び同一作用についてはその説明を割愛する。また同一部材については、同一番号を利用して説明する。
補強構造１１の補強具５は、図５に示すように発泡性材料から形成される発泡体５０と、規制部材５１とを主体に構成されている。
【００２５】
規制部材５１は、図４に示すように左右両端側に先細り状に形成された端部５１ａ，５１ｃと、これら端部５１ａ，５１ｃ間を架橋する架橋部５１ｂとを有する。
架橋部５１ｂは、図４に示すように未発泡の発泡体５０が装着され、発泡体５０が発泡される際においては、図５を参考に示すように端部５１ａ，５１ｃ間が離間することを防ぐ。
【００２６】
端部５１ａ，５１ｃは、図４に示すように架橋部５１ｂ側に発泡体５０の発泡方向を規制する発泡規制面５１ｅを有する。したがって発泡体５０は、図５に示すように端部５１ａ，５１ｃに設けられた発泡規制面５１ｅ間において発泡し、中空パネル２の充填領域を充填する。
したがって発泡体３０は、図５に示すように長手方向のほぼ中心位置においてアウタパネル２０とインナパネル２１間（中空部）をほぼ充填する。
【００２７】
また端部５１ａ，５１ｃは、発泡規制面５１ｅから長手方向の先端に向けて先細り状に形成されている。そのため端部５１ａ，５１ｃと中空パネル２の中空壁面との間には、図５に示すように空間部５２（５２ａ〜５２ｄ）が形成されている。
そして各空間部５２は、図５に示すように長手方向の両端側に向かって除々に大きくなっている。すなわち空間部５２は、長手方向の端部に向けて除々に厚み方向に厚くなっている。
なお発泡体５０と規制部材５１は、高さ方向においてアウタパネル２０とインナパネル２１とを架橋している（図への記載は省略している）。
【００２８】
したがって外力Ｆがアウタパネル２０に加わった場合、補強具５の中央位置において最も中空パネル２が潰れにくく、長軸方向の両端寄りは、中空パネル２と補強具５とが外力Ｆによって除々に変形しやすい構造になっている。したがって補強具５を有する部分と有さない部分との境界によって生じる応力集中が小さくなっている。
また外力Ｆによる衝突エネルギーは、中空パネル２の長手方向に分散され、中空パネル２と補強具５の広い範囲で吸収される。かくして中空パネル２は、全体としての剛性が向上されている。
また空間部５２は、発泡体５０を充填しないことで形成されているため、補強構造１０の剛性は、容易な構造によって向上されている。
【００２９】
また端部５１ａ，５１ｃの下端面には、図４に示すように中空パネル２に取付くためのクリップ５１ｄが設けられている。このクリップ５１ｄは、図４に示すように突出状に形成されており、中空パネル２に設けられた孔状の取付部２１ｃに嵌合されて取付く。
また端部５１ａ，５１ｃは、図４に示すように略三角柱状に形成されいるが、その内部は、図５に示すように中実であってもよいが、好ましくはハニカム構造、格子構造などの中空部分を多く有する構造である。この構造によると補強具５を軽量にすることができるためである。
【００３０】
（参考例２）
参考例２を図６にしたがって説明する。
参考例２にかかる補強構造は、実施の形態１と補強具のみが異なる。そのため同一部分及び同一作用についてはその説明を割愛する。また同一部材については、同一番号を利用して説明する。
補強構造１２の補強具６は、図６に示すように剛性の高い樹脂を素材として形成された樹脂構造物である。
【００３１】
補強具６は、図６（ａ）に示すように長手方向の両端側に先細り状に形成された端部６ａ，６ｂを有する。
端部６ａ，６ｂは、図６（ａ）に示すように幅方向（図１のＸ方向）の長さが除々に減る形状であって、補強具６の上方からの形状は、図６（ｂ）に示すように略菱形に構成されている。
この補強具６は、中空パネル２の中空室２２内に対して、接着剤や補強具６自体に設けられたクリップなどによって取付けられる。そして補強具６の端部６ａ，６ｂと中空パネル２の間には、図６（ｂ）に示すように空間部６０（６０ａ〜６０ｄ）が形成されている。
【００３２】
そして各空間部６０は、図６（ｂ）に示すように長手方向の両端側に向かって除々に大きくなっている。すなわち空間部６０は、長手方向の端部に向けて除々に厚み方向に厚くなっている。
したがって外力Ｆがアウタパネル２０に加わった場合、補強具６の中央位置において最も中空パネル２が潰れにくく、長軸方向の両端寄りは、中空パネル２と補強具６とが外力Ｆによって除々に変形しやすい構造になっている。したがって補強具３を有する部分と有さない部分との境界によって生じる応力集中が小さくなっている。
【００３３】
また外力Ｆによる衝突エネルギーは、中空パネル２の長手方向に分散され、中空パネル２と補強具６の広い範囲で吸収される。かくして中空パネル２は、全体としての剛性が向上されている。
また空間部６０は、補強具６の形状によって所望形状に構成され得る。そのため補強構造１２の剛性は、容易な構造によって向上されている。
また空間部６０によって補強具６は、その材料の量を少くすることができる。そのため補強具６を軽量化にできるとともにコストダウンを図るこのも可能である。
【００３４】
（参考例３）
参考例３を図７にしたがって説明する。
参考例３にかかる補強構造は、実施の形態１と補強具のみが異なる。そのため同一部分及び同一作用についてはその説明を割愛する。また同一部材については、同一番号を利用して説明する。
補強構造１３の補強具７は、図７に示すように剛性の高い樹脂を素材として形成された樹脂構造物である。
【００３５】
補強具７は、その側方（図１の矢印Ｘ方向）からの形状が図７（ｂ）に示すように逆三角形状に構成されている。
すなわち補強具７は、図７（ａ）に示すように長手方向の両端側に先細り状に形成された端部７ａ，７ｂを有し、端部７ａ，７ｂは、その高さ方向（図１のＺ方向）長さが除々に減る形状である。
また補強具７は、中空パネル２の中空室２２内に対して、接着剤によって取付けられたり、あるいは補強具７に形成されたクリップが中空パネル２の取付部に取付けられるなどして中空パネル２に装着されている。そして補強具７の端部７ａ，７ｂと中空パネル２の中空壁面との間には、図７（ｂ）に示すように空間部７０（７０ａ，７０ｂ）が形成されている。
【００３６】
そして各空間部７０は、図７（ｂ）に示すように長手方向の両端側に向かって除々に大きくなっている。すなわち空間部７０は、長手方向の端部に向けて除々に高さ方向に厚くなっている。
また補強具７は、外力が加わりやすいアウタパネル２０の上端面（２０ｂ）に対して長手方向に渡って当接、あるいはほとんど隙間のない状態で配設されている。一方インナパネル２１の下端面（２１ｂ）に対しては略中央部分のみが当接、あるいはほとんど隙間のない状態で配設されている。
【００３７】
したがって外力Ｆがアウタパネル２０に加わった場合、補強具７の中央位置において最も中空パネル２が潰れにくく、長軸方向の両端寄りは、中空パネル２と補強具７とが外力Ｆによって除々に変形しやすい構造になっている。したがって補強具３を有する部分と有さない部分との境界によって生じる応力集中が小さくなっている。
また外力Ｆによる衝突エネルギーは、中空パネル２の長手方向に分散され、中空パネル２と補強具７の広い範囲で吸収される。かくして中空パネル２は、全体としての剛性が向上されている。
【００３８】
また空間部７０ａ，７０ｂは、補強具７の形状によって所望形状に構成され得る。そのため補強構造１３の剛性は、容易な構造によって向上されている。
また空間部７０ａ，７０ｂによって補強具７は、その材料の量を少くすることができる。そのため補強具７を軽量化にできるとともにコストダウンを図るこのも可能である。
【００３９】
【発明の効果】
本発明に係る中空パネルの補強構造によると、補強具を有する部分と、補強具を有さない部分との境目に生じる応力集中が小さい構造であって、その構造が容易に構成され得る。
【図面の簡単な説明】
【図１】  中空パネルと補強具の斜視図である。
【図２】  実施の形態１にかかる補強構造のＸ方向から見た側方断面図であって、補強構造の幅中心位置における断面図（ａ）、図（ａ）のＡ１−Ａ１線断面図（ｂ）、図（ａ）のＡ２−Ａ２線断面図（ｃ）、及び図（ａ）のＡ３−Ａ３線断面図（ｄ）である。
【図３】  実施の形態２にかかる補強構造のＺ方向から見た下方断面図であって、補強構造の高さ中心位置における断面図（ａ）、図（ａ）のＢ１−Ｂ１線断面図（ｂ）、図（ａ）のＢ２−Ｂ２線断面図（ｃ）、及び図（ａ）のＢ３−Ｂ３線断面図（ｄ）である。
【図４】  参考例１にかかる中空パネルと補強具の斜視図である。
【図５】  参考例１にかかる補強構造のＺ方向から見た下方断面図であって、補強構造の高さ中心位置における断面図である。
【図６】  参考例２にかかる補強具の斜視図（ａ）と、補強構造のＺ方向から見た下方断面図であって、補強構造の高さ中心位置における断面図（ｂ）である。
【図７】  参考例３にかかる補強具の斜視図（ａ）と、補強構造のＸ方向から見た側方断面図であって、補強構造の幅中心位置における断面図（ｂ）である。
【符号の説明】
１，１０，１１，１２，１３…補強構造
２…中空パネル
３，４，５，６，７…補強具
２０…アウタパネル
２１…インナパネル
２２…中空室
３０，３０ａ，４０，５０…発泡体
３１，４１，５１…規制部材
３２ａ，３２ｂ，４２，５２，６０，７０…空間部
【図１】
0004252254.tif 000002
【図２】
0004252254.tif 000003
【図３】
0004252254.tif 000004
【図４】
0004252254.tif 000005
【図５】
0004252254.tif 000006
【図６】
0004252254.tif 000007
【図７】
0004252254.tif 000008